【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
所定数のビットを備えた変調およびコーディング方式（ＭＣＳ）フィールドを有する制御フレームを用いたワイヤレス通信用の装置であって、
前記制御フレームの前記ＭＣＳフィールドを介して第１の情報を指示することと、前記第１の情報が、好適なＭＣＳレベルである、
前記ＭＣＳフィールドを介して前記第１の情報と異なる第２の情報を指示することと、前記第２の情報が、制御フレームタイプである、
を行うように構成された処理システムと、
送信のために前記制御フレームを提供するように構成されたインターフェースと、前記ＭＣＳフィールドが、前記所定数のビットによって許容される１組の値のうちの１つを伝達する、
を備え、前記処理システムが、
前記１組の値の第１の部分集合を介して前記好適なＭＣＳレベルを指示し、
前記１組の値の第２の部分集合を介して前記制御フレームタイプを指示するように構成された、装置。
【請求項２】
前記制御フレームタイプが確認応答（ＡＣＫ）フレームの受信を容易にし、前記装置が、
前記制御フレームの送信に基づいて前記ＡＣＫフレームを受信するように構成された第２のインターフェースをさらに備える、請求項１に記載の装置。
【請求項３】
前記ＡＣＫフレームが、アイドル期間またはＡＣＫ識別拡張の少なくとも一方を指示する継続時間フィールドを備えており、前記処理システムが、
前記継続時間フィールドが前記アイドル期間を指示する場合は、前記アイドル期間の間は送信を実行することを控え、
前記継続時間フィールドが前記ＡＣＫ識別拡張を指示する場合は、前記ＡＣＫ識別拡張に基づき、前記制御フレームタイプが成功裏に指示されたかどうかを決定するように構成される、請求項２に記載の装置。
【請求項４】
上りデータ指示（ＵＤＩ）フィールドを有する、制御フレームを用いたワイヤレス通信用の装置であって、前記フィールドが所定数のビットを有し、前記装置が、
前記制御フレームの前記ＵＤＩフィールドを介して第１の情報を指示することと、
前記第１の情報が、データが前記装置における上り送信のために利用可能であるかどうかを指示するためのＵＤＩである、
前記ＵＤＩフィールドを介して前記第１の情報と異なる第２の情報を指示することと、前記第２の情報は通信のために用いられるチャネルの指示である、
を行うように構成された処理システムと、
送信のために前記制御フレームを提供するように構成されたインターフェースと、前記ＵＤＩフィールドが、１組の値のうちの１つを伝達する、
を備え、前記処理システムが、
前記１組の値の第１の部分集合を介して前記第１の情報を指示し、
前記１組の値の第２の部分集合を介して通信のために用いられる前記チャネルを指示するように構成された、装置。
【請求項５】
いくつかのビットが、１２ビットを備える、請求項４に記載の装置。
【請求項６】
前記制御フレームが、ヌルデータパケット（ＮＤＰ）電力節約（ＰＳ）ポーリングフレームである、請求項１乃至４のいずれか１項に記載の装置。
【請求項７】
所定数のビットを備えた変調およびコーディング方式（ＭＣＳ）フィールドを有する、制御フレームを用いたワイヤレス通信用の方法であって、
前記制御フレームの前記ＭＣＳフィールドを介して第１の情報を指示すること、前記第１の情報が、好適なＭＣＳレベルである、または、
前記フィールドを介して前記第１の情報と異なる第２の情報を指示すること、前記第２の情報が、制御フレームタイプである、および、
送信のために前記制御フレームを提供すること、前記ＭＣＳフィールドが、前記所定数のビットによって許容される１組の値のうちの１つを伝達する、
を備え、
前記指示することが、
前記１組の値の第１の部分集合を介して前記好適なＭＣＳレベルを指示すること、
または、
前記１組の値の第２の部分集合を介して前記制御フレームタイプを指示すること
をさらに備える、方法。
【請求項８】
前記制御フレームタイプが確認応答（ＡＣＫ）フレームの受信を容易にし、前記方法が、
前記制御フレームの送信に基づいて前記ＡＣＫフレームを受信することをさらに備える、請求項７に記載の方法。
【請求項９】
前記ＡＣＫフレームが、アイドル期間またはＡＣＫ識別拡張の少なくとも一方を指示する継続時間フィールドを備えており、前記方法が、
前記継続時間フィールドが前記アイドル期間を指示する場合は、前記アイドル期間の間は送信を実行することを控えることと、
前記継続時間フィールドが前記ＡＣＫ識別拡張を指示する場合は、前記ＡＣＫ識別拡張に基づいて、前記制御フレームタイプが成功裏に指示されたかどうかを決定することと
をさらに備える、請求項８に記載の方法。
【請求項１０】
上りデータ指示（ＵＤＩ）フィールドを有する制御フレームを用いたワイヤレス通信用の方法であって、前記フィールドが所定数のビットを有し、前記方法が、
前記制御フレームの前記ＵＤＩフィールドを介して第１の情報を指示すること、前記第１の情報が、データが装置における上り送信のために利用可能であるかどうかを指示するためのＵＤＩである、または、
前記ＵＤＩフィールドを介して前記第１の情報と異なる第２の情報を指示すること、前記第２の情報は通信のために用いられるチャネルの指示である、および、
送信のために前記制御フレームを提供すること、
前記ＵＤＩフィールドが、１組の値のうちの１つを伝達する、
を備え、前記指示することが、
前記１組の値の第１の部分集合を介して前記第１の情報を指示することと、
前記１組の値の第２の部分集合を介して通信のために用いられる前記チャネルを指示することと、をさらに備える、方法。
【請求項１１】
前記第２の情報が動作チャネルオフセットを指示する、請求項１０に記載の方法。
【請求項１２】
いくつかのビットが、１２ビットを備える、請求項１０に記載の方法。
【請求項１３】
前記制御フレームが、ヌルデータパケット（ＮＤＰ）電力節約（ＰＳ）ポーリングフレームである、請求項７乃至１０のいずれか１項に記載の方法。
【手続補正２】
【補正対象書類名】明細書
【補正対象項目名】０１０９
【補正方法】変更
【補正の内容】
【０１０９】
[00115]上記は本開示の態様を対象とするが、本開示の他の態様およびさらなる態様は、その基本的範囲から逸脱することなく考案され得るし、その範囲は以下の特許請求の範囲によって決定される。
以下に本願発明の当初の特許請求の範囲に記載された発明を付記する。
［Ｃ１］制御フレームを用いたワイヤレス通信用の装置であって、前記制御フレームのフィールドを介して第１の情報を指示し、前記フィールドを介して前記第１の情報と異なる第２の情報を指示するように構成された処理システムと、送信のために前記制御フレームを提供するように構成されたインターフェースとを備える、装置。
［Ｃ２］前記第１の情報が好適な変調およびコーディング方式（ＭＣＳ）であり、前記第２の情報が制御フレームタイプであり、前記フィールドが１組の値を備え、前記処理システムが、前記１組の値の第１の部分集合を介して前記好適なＭＣＳを指示し、前記１組の値の第２の部分集合を介して前記制御フレームタイプを指示するように構成された、Ｃ１に記載の装置。
［Ｃ３］前記制御フレームタイプが確認応答（ＡＣＫ）フレームの受信を容易にし、前記制御フレームの送信に基づいて前記ＡＣＫフレームを受信するように構成された第２のインターフェースをさらに備える、Ｃ２に記載の装置。
［Ｃ４］前記ＡＣＫフレームが、アイドル期間またはＡＣＫ識別拡張の少なくとも一方を指示する継続時間フィールドを備えており、前記処理システムが、前記継続時間フィールドが前記アイドル期間を指示する場合は、前記アイドル期間の間は送信を実行することを控え、前記継続時間フィールドが前記ＡＣＫ識別拡張を指示する場合は、前記ＡＣＫ識別拡張に基づき、前記制御フレームタイプが成功裏に指示されたかどうかを決定するように構成される、Ｃ３に記載の装置。
［Ｃ５］前記第１の情報が上りデータ指示（ＵＤＩ）であり、前記第２の情報が制御フレームタイプであり、前記フィールドが１組の値を備え、前記処理システムが、前記１組の値の第１の部分集合を介して前記ＵＤＩを指示し、前記１組の値の第２の部分集合を介して前記制御フレームタイプを指示するように構成された、Ｃ１に記載の装置。
［Ｃ６］前記制御フレームタイプが動作チャネルオフセットを指示する、Ｃ５に記載の装置。
［Ｃ７］前記第２の情報が制御フレームタイプであり、前記フィールドが１組のビットを備え、前記処理システムが、前記第１の情報を指示するための前記１組のビットの部分集合を定義し、前記定義された部分集合にない前記１組のビットのうちの少なくとも１つのビットを介して前記制御フレームタイプを指示するようにさらに構成される、Ｃ１に記載の装置。
［Ｃ８］前記１組のビットの前記部分集合が、前記第１の情報と関連するいくつかの値に基づいて定義される、Ｃ７に記載の装置。
［Ｃ９］前記第１の情報が上りデータ指示（ＵＤＩ）であり、前記１組のビットが１２ビットを備えており、前記処理システムが、前記ＵＤＩを指示するために前記１２ビットのうちの１０ビットを定義し、前記１２ビットのうちで、前記ＵＤＩを指示するために定義されない２ビットを介して前記制御フレームタイプを指示するように構成される、Ｃ７に記載の装置。
［Ｃ１０］前記１２ビットのうちの前記１０ビットが、前記ＵＤＩと関連するいくつかの値に基づいて定義される、Ｃ９に記載の装置。
［Ｃ１１］前記第１の情報が好適な変調およびコーディング方式（ＭＣＳ）であり、ビットの前記部分集合が少なくとも３ビットを備え、前記処理システムが、前記好適なＭＣＳを指示するための１ビットを定義し、前記好適なＭＣＳを指示するために定義されない２ビットを介して前記制御フレームタイプを指示し、または前記好適なＭＣＳを指示するための２ビットを定義し、前記好適なＭＣＳを指示するために定義されない１ビットを介して前記制御フレームタイプを指示するように構成される、Ｃ７に記載の装置。
［Ｃ１２］前記好適なＭＣＳと関連するいくつかの値に基づいて、前記１ビットまたは２ビットが定義される、Ｃ１１に記載の装置。
［Ｃ１３］前記第２の情報が通信のために用いられるチャネルの指示であり、前記フィールドが１組の値を備え、前記処理システムが、前記１組の値の第１の部分集合を介して前記第１の情報を指示し、前記１組の値の第２の部分集合を介して通信のために用いられる前記チャネルを指示するように構成されており、前記第１の情報が、好適な変調およびコーディング方式（ＭＣＳ）または上りデータ指示（ＵＤＩ）を備える、Ｃ１に記載の装置。
［Ｃ１４］制御フレームを用いたワイヤレス通信用の方法であって、前記制御フレームのフィールドを介して第１の情報を指示することと、前記フィールドを介して前記第１の情報と異なる第２の情報を指示することと、送信のために前記制御フレームを提供することとを備える、ワイヤレス通信用の方法。
［Ｃ１５］前記第１の情報が好適な変調およびコーディング方式（ＭＣＳ）であり、前記第２の情報が制御フレームタイプであり、前記フィールドが１組の値を備え、前記方法が、前記１組の値の第１の部分集合を介して前記好適なＭＣＳを指示することと、前記１組の値の第２の部分集合を介して前記制御フレームタイプを指示することとを備える、Ｃ１４に記載の方法。
［Ｃ１６］前記制御フレームタイプが確認応答（ＡＣＫ）フレームの受信を容易にし、前記方法が、前記制御フレームの送信に基づいて前記ＡＣＫフレームを受信することをさらに備える、Ｃ１５に記載の方法。
［Ｃ１７］前記ＡＣＫフレームが、アイドル期間またはＡＣＫ識別拡張の少なくとも一方を指示する継続時間フィールドを備えており、前記方法が、前記継続時間フィールドが前記アイドル期間を指示する場合は、前記アイドル期間の間は送信を実行することを控えることと、前記継続時間フィールドが前記ＡＣＫ識別拡張を指示する場合は、前記ＡＣＫ識別拡張に基づいて、前記制御フレームタイプが成功裏に指示されたかどうかを決定することとをさらに備える、Ｃ１６に記載の方法。
［Ｃ１８］前記第１の情報が上りデータ指示（ＵＤＩ）であり、前記第２の情報が制御フレームタイプであり、前記フィールドが１組の値を備え、前記方法が、前記１組の値の第１の部分集合を介して前記ＵＤＩを指示することと、前記１組の値の第２の部分集合を介して前記制御フレームタイプを指示することとを備える、Ｃ１４に記載の方法。
［Ｃ１９］前記制御フレームタイプが動作チャネルオフセットを指示する、Ｃ１８に記載の方法。
［Ｃ２０］前記第２の情報が制御フレームタイプであり、前記フィールドが１組のビットを備え、前記方法が、前記第１の情報を指示するための前記１組のビットの部分集合を定義することと、前記定義された部分集合にない前記１組のビットのうちの少なくとも１つのビットを介して前記制御フレームタイプを指示することとをさらに備える、Ｃ１４に記載の方法。
［Ｃ２１］前記１組のビットの前記部分集合が、前記第１の情報と関連するいくつかの値に基づいて定義される、Ｃ２０に記載の方法。
［Ｃ２２］前記第１の情報が上りデータ指示（ＵＤＩ）であり、前記１組のビットが１２ビットを備えており、前記方法が、前記ＵＤＩを指示するために前記１２ビットのうちの１０ビットを定義することと、前記１２ビットのうちで、前記ＵＤＩを指示するために定義されない２ビットを介して前記制御フレームタイプを指示することとを備えており、前記１２ビットのうちの前記１０ビットが、前記ＵＤＩと関連するいくつかの値に基づいて定義される、Ｃ２０に記載の方法。
［Ｃ２３］前記第１の情報が好適な変調およびコーディング方式（ＭＣＳ）であり、ビットの前記部分集合が少なくとも３ビットを備え、前記方法が、前記好適なＭＣＳを指示するための１ビットを定義し、前記好適なＭＣＳを指示するために定義されない２ビットを介して前記制御フレームタイプを指示することと、または前記好適なＭＣＳを指示するための２ビットを定義し、前記好適なＭＣＳを指示するために定義されない１ビットを介して前記制御フレームタイプを指示することとを備えており、前記好適なＭＣＳと関連するいくつかの値に基づいて、前記１ビットまたは２ビットが定義される、Ｃ２０に記載の方法。
［Ｃ２４］前記第２の情報が通信のために用いられるチャネルの指示であり、前記フィールドが１組の値を備え、前記方法が、前記１組の値の第１の部分集合を介して前記第１の情報を指示することと、前記１組の値の第２の部分集合を介して通信のために用いられる前記チャネルを指示することとを備えており、前記第１の情報が、好適な変調およびコーディング方式（ＭＣＳ）または上りデータ指示（ＵＤＩ）を備える、Ｃ１４に記載の方法。
［Ｃ２５］制御フレームを用いたワイヤレス通信用の装置であって、第１の情報と関連する前記制御フレームのフィールドにおいて１組のビットを決定することと、前記第１の情報を指示するための前記１組のビットの部分集合を定義することと、前記定義された部分集合にない前記１組のビットのうちの少なくとも１つのビットを介して前記第１の情報と異なる第２の情報を指示することとを行うように構成された処理システムと、送信のために前記制御フレームを提供するように構成されたインターフェースとを備える、装置。
［Ｃ２６］前記１組のビットが、前記フィールドにおいて利用可能ないくつかのビットに基づいて決定され、前記１組のビットの前記部分集合が、前記第１の情報と関連するいくつかの値に基づいて定義される、Ｃ２５に記載の装置。
［Ｃ２７］前記制御フレームが、ヌルデータパケット（ＮＤＰ）電力節約（ＰＳ）ポーリングフレームである、Ｃ２５に記載の装置。
［Ｃ２８］制御フレームを用いたワイヤレス通信用の方法であって、第１の情報と関連する前記制御フレームのフィールドにおいて１組のビットを決定することと、前記第１の情報を指示するための前記１組のビットの部分集合を定義することと、前記定義された部分集合にない前記１組のビットのうちの少なくとも１つのビットを介して前記第１の情報と異なる第２の情報を指示することと、送信のために前記制御フレームを提供することと
を備える、方法。
［Ｃ２９］前記１組のビットが、前記フィールドにおいて利用可能ないくつかのビットに基づいて決定され、前記１組のビットの前記部分集合が、前記第１の情報と関連するいくつかの値に基づいて定義される、Ｃ２８に記載の方法。
［Ｃ３０］前記制御フレームが、ヌルデータパケット（ＮＤＰ）電力節約（ＰＳ）ポーリングフレームである、Ｃ２８に記載の方法。